(57)【特許請求の範囲】
【請求項１】
天井材に設置される非常用照明器具であって、
有底筒状に形成された器具本体と、光源と、蓄電池が収納された本体部を具備する非常用電源と、前記蓄電池を充電および放電可能な電源装置とを備え、
前記電源装置は、外部電源の停電時に、前記非常用電源を電源として前記光源を点灯可能に構成され、
前記本体部は、中空柱状に形成され、
前記光源と前記本体部の下端部とは、前記器具本体において前記器具本体の中心軸に沿った下側の端部に隣同士並んで配置され、前記本体部の上端部は、前記器具本体内に配置され、前記電源装置は、前記器具本体内において前記光源の上側に配置され、
前記本体部の上端部には、前記非常用電源と前記電源装置とを接続するための第１接続部が設けられ、
前記電源装置は、複数の電子部品を実装した基板が収納されたボックスを備え、前記ボックスは、前記非常用電源と対向する対向面に、前記第１接続部を着脱自在に接続可能な第２接続部と、前記第１接続部と前記第２接続部との接続を案内するガイド部とが設けられている
ことを特徴とする非常用照明器具。
【請求項２】
前記電源装置は、前記器具本体内において前記対向面の法線が前記器具本体の中心軸と直交するように配置され、
前記ガイド部は、前記器具本体の中心軸に沿ったリブにより構成されている
ことを特徴とする請求項１記載の非常用照明器具。
【請求項３】
前記対向面には、前記非常用電源と前記電源装置とが接続された状態において、前記本体部との間を規定距離に保つための突起部が設けられている
ことを特徴とする請求項１または請求項２記載の非常用照明器具。
【請求項４】
前記第２接続部は、前記ガイド部である第１ガイド部とは異なる第２ガイド部を備え、
前記第２ガイド部は、前記第１接続部と前記第２接続部との接続を案内するように構成されている
ことを特徴とする請求項１ないし請求項３のいずれか１項に記載の非常用照明器具。
【発明の詳細な説明】
【技術分野】
【０００１】
本発明は、非常用照明器具に関する。
【背景技術】
【０００２】
従来、天井に埋め込み設置される非常用照明器具が知られている（例えば、特許文献１）。
【０００３】
特許文献１に記載された非常用照明器具は、器具本体と、電球と、点灯回路ユニットと、電池ケースとを備えている。以下では、説明の便宜上、特許文献１に記載された非常用照明器具を、「従来例の非常用照明器具」と称する。
【０００４】
器具本体は、略円筒状に形成されている。電球は、反射体を一体に備えている。点灯回路ユニットは、ユニットケースに組み込まれている。ユニットケースは、電池ケースを保持するように構成されている。電池ケースには、複数の電池が収納されている。
【０００５】
器具本体には、電池ケースを保持したユニットケースが収納されている。器具本体の下面開口部には、反射体を一体に備えた電球が配置されている。特許文献１には、電池ケースを保持したユニットケースが、反射体を一体に備えた電球の上側に配置されている旨が記載されている。
【先行技術文献】
【特許文献】
【０００６】
【特許文献１】特開平４−１４７５０７号公報
【発明の概要】
【発明が解決しようとする課題】
【０００７】
ところで、従来例の非常用照明器具では、複数の電池を収納した電池ケースがユニットケースに保持されている。また、従来例の非常用照明器具では、電池ケースを保持したユニットケースが、反射体を一体に備えた電球の上側に配置されている。そのため、従来例の非常用照明器具では、複数の電池が収納された電池ケース（非常用電源）を交換する作業性を向上させることが難しい。
【０００８】
本発明の目的は、非常用電源を交換する作業性を向上させることが可能な非常用照明器具を提供することにある。
【課題を解決するための手段】
【０００９】
本発明の非常用照明器具は、天井材に設置される非常用照明器具である。本発明の非常用照明器具は、有底筒状に形成された器具本体と、光源と、蓄電池が収納された本体部を具備する非常用電源と、前記蓄電池を充電および放電可能な電源装置とを備えている。前記電源装置は、外部電源の停電時に、前記非常用電源を電源として前記光源を点灯可能に構成されている。前記本体部は、中空柱状に形成されている。前記光源と前記本体部の下端部とは、前記器具本体において前記器具本体の中心軸に沿った下側の端部に隣同士並んで配置されている。前記本体部の上端部は、前記器具本体内に配置されている。前記電源装置は、前記器具本体内において前記光源の上側に配置されている。前記本体部の上端部には、前記非常用電源と前記電源装置とを接続するための第１接続部が設けられている。前記電源装置は、複数の電子部品を実装した基板が収納されたボックスを備えている。前記ボックスは、前記非常用電源と対向する対向面に、前記第１接続部を着脱自在に接続可能な第２接続部と、前記第１接続部と前記第２接続部との接続を案内するガイド部とが設けられている。
【発明の効果】
【００１０】
本発明の非常用照明器具においては、非常用電源を交換する作業性を向上させることが可能となる。
【図面の簡単な説明】
【００１１】
【図１】図１Ａは、一実施形態の非常用照明器具において一部破断された分解斜視図である。図１Ｂは、一実施形態の非常用照明器具における非常用電源と電源装置との下面図である。
【図２】図２は、一実施形態の非常用照明器具の施工状態を示す斜視図である。
【図３】図３は、一実施形態の非常用照明器具において、非常用電源を電源装置側から見た斜視図である。
【図４】図４は、一実施形態の非常用照明器具に関し、器具本体を構成するベースと、ベースに取り付けられるカバーとを示す斜視図である。
【図５】図５は、一実施形態の非常用照明器具における非常用電源の平面図である。
【図６】図６は、一実施形態の非常用照明器具において、電源装置を非常用電源側から見た斜視図である。
【図７】図７は、一実施形態の非常用照明器具に関し、非常用電源と電源装置とを接続する方法を示す説明図である。
【図８】図８は、一実施形態の非常用照明器具に関し、非常用電源と電源装置とが接続された状態を示す説明図である。
【発明を実施するための形態】
【００１２】
以下では、一実施形態の非常用照明器具１０について、図１Ａ，図１Ｂ〜図８を参照しながら説明する。
【００１３】
非常用照明器具１０は、外部電源（図示せず）から給電されるように構成されている。外部電源は、例えば、商用電源である。また、非常用照明器具１０は、天井材９０（図２参照）に設置されるように構成されている。具体的に説明すると、非常用照明器具１０は、天井材９０に予め形成された孔９１に、埋め込み配置されるように構成されている。
【００１４】
非常用照明器具１０は、器具本体１と、光源３と、非常用電源５と、電源装置６と、端子台１２とを備えている。
【００１５】
器具本体１は、例えば、有底筒状に形成されている。器具本体１は、ケース１１と、ベース１３とを備えている。
【００１６】
ケース１１は、例えば、１枚の板材（以下、「第１板材」）により筒状に形成されている。第１板材は、例えば、不燃材料により構成されている。不燃材料としては、例えば、アルミニウムが挙げられる。ケース１１は、例えば、第１板材にロール加工等を施すことによって形成されている。
【００１７】
ベース１３は、例えば、円柱状に形成されている。ベース１３は、例えば、不燃材料により形成されている。不燃材料としては、例えば、アルミニウムが挙げられる。
【００１８】
非常用照明器具１０では、ケース１１とベース１３とで器具本体１を構成している。ケース１１は、器具本体１の周壁に相当する。ベース１３は、器具本体１の底壁に相当する。
【００１９】
光源３は、発光部２と、基板１５と、放熱部材１６と、レンズ１７と、保持部材１８とを備えている。光源３は、器具本体１の下端部に配置されている。なお、器具本体１の下端部とは、器具本体１において器具本体１の中心軸Ａ１に沿った下側の端部を意味する。つまり、器具本体１の下端部は、ベース１３に相当する。
【００２０】
発光部２は、例えば、白色光を得るように構成されている。発光部２は、複数のＬＥＤ（図示せず）と、波長変換部１９と、封止部２０とを備えている。
【００２１】
複数のＬＥＤの各々は、例えば、青色ＬＥＤチップである。複数のＬＥＤの接続関係は、例えば、直列接続である。
【００２２】
波長変換部１９は、複数のＬＥＤすべてを覆うように構成されている。波長変換部１９は、例えば、蛍光体粒子と透光性材料との混合体により構成されている。蛍光体粒子は、例えば、黄色蛍光体粒子である。黄色蛍光体粒子は、ＬＥＤから放射された青色光により励起されてブロードな黄色光を放射する。透光性材料は、例えば、シリコーン樹脂である。なお、蛍光体粒子は、黄色蛍光体粒子に限らず、例えば、赤色蛍光体粒子と緑色蛍光体粒子とを組み合わせた蛍光体粒子であってもよい。また、透光性材料は、シリコーン樹脂に限らず、例えば、エポキシ樹脂であってもよい。
【００２３】
封止部２０は、波長変換部１９を覆うように構成されている。また、封止部２０は、透光性を有する封止材料により構成されている。封止材料は、例えば、シリコーン樹脂である。なお、封止材料は、シリコーン樹脂に限らず、例えば、エポキシ樹脂であってもよい。
【００２４】
発光部２は、青色ＬＥＤチップと黄色蛍光体粒子とで、白色光を得るように構成されているが、この構成に限らない。発光部２は、例えば、紫ＬＥＤチップと、赤色蛍光体粒子と緑色蛍光体粒子と青色蛍光体粒子とを組み合わせた蛍光体粒子とで、白色光を得るように構成されていてもよい。また、発光部２は、例えば、近紫外ＬＥＤチップと、赤色蛍光体粒子と緑色蛍光体粒子と青色蛍光体粒子とを組み合わせた蛍光体粒子とで、白色光を得るように構成されていてもよい。さらに、発光部２は、例えば、赤色ＬＥＤチップと緑色ＬＥＤチップと青色ＬＥＤチップとを組み合わせて、白色光を得るように構成されていてもよい。
【００２５】
基板１５は、例えば、プリント基板である。なお、基板１５は、プリント基板に限らず、例えば、セラミック基板であってもよい。
【００２６】
基板１５の第１面（図１Ａでは、下面）には、複数のＬＥＤが電気的に実装されている。すなわち、基板１５の第１面には、発光部２が配置されている。また、基板１５の第１面には、一対の端子部（図示せず）が設けられている。以下では、説明の便宜上、一対の端子部を、「一対の第１端子部」と称する。
【００２７】
一対の第１端子部の各々は、基板１５に予め形成された配線（図示せず）の一部により構成されている。また、一対の第１端子部の各々は、発光部２と電気的に接続されている。具体的に説明すると、一対の第１端子部は、直列接続された複数のＬＥＤと電気的に接続されている。具体的に説明すると、一対の第１端子部のうち一方の第１端子部は、直列接続された複数のＬＥＤにおける一端側の端子（図示せず）と電気的に接続されている。また、一対の第１端子部のうち他方の第１端子部は、直列接続された複数のＬＥＤにおける他端側の端子（図示せず）と電気的に接続されている。
【００２８】
放熱部材１６は、発光部２と基板１５とで発生する熱を放熱するように構成されている。放熱部材１６は、例えば、放熱シートである。放熱シートは、電気絶縁性および熱伝導性それぞれを有する。放熱部材１６は、基板１５の第２面（図１Ａでは、上面）に配置されている。
【００２９】
レンズ１７は、発光部２から放射された白色光を配光制御するように構成されている。レンズ１７は、例えば、シリコーン樹脂により形成されている。レンズ１７は、発光部２を覆うように配置されている。なお、レンズ１７は、シリコーン樹脂により形成されているが、これに限らず、例えば、アクリル樹脂により形成されていてもよい。
【００３０】
保持部材１８は、基板１５と放熱部材１６とレンズ１７とを保持するように構成されている。また、保持部材１８は、ばね性を有するように構成されている。保持部材１８は、例えば、金属板により形成されている。金属板としては、例えば、アルミニウム板が挙げられる。
【００３１】
なお、複数のＬＥＤの接続関係は、直列接続に限らず、例えば、並列接続であってもよい。また、複数のＬＥＤの接続関係は、例えば、直列接続と並列接続とを組み合わせた接続であってもよい。ＬＥＤの数は、複数であるが、１つであってもよい。
【００３２】
非常用電源５は、本体部２１と、複数の蓄電池４と、第１接続部２２とを備えている。非常用電源５は、器具本体１内に収納されている。
【００３３】
本体部２１は、複数の蓄電池４を収納するように構成されている。本体部２１は、中空柱状に形成されている。本体部２１は、例えば、合成樹脂により形成されている。
【００３４】
本体部２１の下端部は、器具本体１の下端部に配置されている。また、本体部２１の下端部は、器具本体１の下端部において、光源３と隣同士並んで配置されている。本体部２１の上端部は、器具本体１内に配置されている。
【００３５】
複数の蓄電池４は、本体部２１内に収納されている。複数の蓄電池４は、例えば、本体部２１内において、器具本体１の中心軸Ａ１に沿った方向に並べて配置されている。複数の蓄電池４の電気的な接続関係は、例えば、直列接続である。なお、複数の蓄電池４は、本体部２１内において、器具本体１の中心軸Ａ１に沿った方向に並べて配置されているが、この配置を特に限定するものではない。
【００３６】
第１接続部２２は、非常用電源５と電源装置６とを機械的に接続するように構成されている。第１接続部２２は、本体部２１の上端部に設けられている。第１接続部２２は、例えば、合成樹脂により形成されている。また、第１接続部２２は、本体部２１と一体に形成されている。
【００３７】
第１接続部２２は、一対の第１接続片６０，６０（図３参照）を備えている。一対の第１接続片６０，６０の各々は、例えば、金属により形成されている。一対の第１接続片６０，６０の各々は、直列接続された複数の蓄電池４と電源装置６とを電気的に接続するように構成されている。要するに、第１接続部２２は、非常用電源５と電源装置６とを電気的に接続するようにも構成されている。
【００３８】
一対の第１接続片６０，６０は、直列接続された複数の蓄電池４と電気的に接続されている。具体的に説明すると、一対の第１接続片６０，６０のうち一方の第１接続片６０は、直列接続された複数の蓄電池４における一端側のプラス端子（図示せず）と電気的に接続されている。また、一対の第１接続片６０，６０のうち他方の第１接続片６０は、直列接続された複数の蓄電池４における他端側のマイナス端子（図示せず）と電気的に接続されている。なお、以下では、説明の便宜上、直列接続された複数の蓄電池４を、単に「複数の蓄電池４」と称する。
【００３９】
電源装置６は、複数の蓄電池４を充電および放電可能に構成されている。電源装置６は、複数の電子部品が電気的に実装された基板２３と、基板２３を収納するボックス５０とを備えている。電源装置６は、器具本体１内において光源３の上側に配置されている。また、電源装置６は、非常用電源５と対向するように配置されている。
【００４０】
基板２３は、例えば、プリント基板である。基板２３は、例えば、矩形板状に形成されている。上記複数の電子部品は、例えば、基板２３の第１面（図１Ａでは、右面）に配置されている。
【００４１】
基板２３には、充電回路と、放電回路とが設けられている。
【００４２】
充電回路は、複数の蓄電池４を充電するように構成されている。具体的に説明すると、充電回路は、外部電源からの交流電圧を所定の直流電圧に変換するように構成されている。また、充電回路は、上記所定の直流電圧を、複数の蓄電池４に印加するように構成されている。これにより、充電回路は、複数の蓄電池４を充電することが可能となる。
【００４３】
放電回路は、複数の蓄電池４を放電するように構成されている。具体的に説明すると、放電回路は、複数の蓄電池４に予め充電された直流電圧を、光源３に供給するように構成されている。これにより、放電回路は、発光部２を発光させることが可能となる。
【００４４】
電源装置６は、外部電源からの給電時に、複数の蓄電池４を充電するように構成されている。電源装置６は、外部電源の停電時に、複数の蓄電池４を放電するように構成されている。また、電源装置６は、外部電源の停電時に、非常用電源５を電源として発光部２を発光させるように構成されている。要するに、電源装置６は、外部電源の停電時に、非常用電源５を電源として光源３を点灯可能に構成されている。これにより、非常用照明器具１０は、例えば、商用電源の停電時などの非常時に、光源３を点灯させることが可能となる。
【００４５】
基板２３の第１面には、一対の第２端子部（図示せず）が設けられている。一対の第２端子部の各々は、基板２３に予め形成された配線（図示せず）の一部により構成されている。また、一対の第２端子部の各々は、放電回路と電気的に接続されている。一対の第２端子部は、例えば、一対の第１電源線（図示せず）を介して、上記一対の第１端子部と電気的にそれぞれ接続されている。
【００４６】
また、基板２３の第１面には、一対の第３端子部（図示せず）が設けられている。一対の第３端子部の各々は、基板２３の上記配線の一部により構成されている。また、一対の第３端子部は、例えば、一対の第２電源線（図示せず）を介して、端子台１２と電気的に接続されている。
【００４７】
基板２３には、第１点検スイッチ３５と、第２点検スイッチ３６と、表示部３７とが設けられている。具体的に説明すると、基板２３の第１面には、第１点検スイッチ３５と、第２点検スイッチ３６と、表示部３７とが電気的に実装されている。
【００４８】
第１点検スイッチ３５は、例えば、光源３が点灯するか否かを点検するためのスイッチである。第２点検スイッチ３６は、例えば、複数の蓄電池４の充電状態を点検するためのスイッチである。表示部３７は、複数の蓄電池４の充電状態を表示するように構成されている。表示部３７は、例えば、ＬＥＤである。
【００４９】
また、基板２３には、第１点検回路と、第２点検回路と、点灯回路とが設けられている。第１点検回路は、例えば、光源３が点灯するか否かを点検するように構成されている。第２点検回路は、例えば、複数の蓄電池４の充電状態を点検するように構成されている。点灯回路は、例えば、第２点検回路の点検結果に基づいて、表示部３７を点灯させるように構成されている。具体的に説明すると、点灯回路は、例えば、複数の蓄電池４に充電された直流電圧が規定電圧以上のとき、表示部３７を点灯状態にする。また、点灯回路は、例えば、複数の蓄電池４に充電された直流電圧が規定電圧未満のとき、表示部３７を消灯状態にする。
【００５０】
ボックス５０は、上記複数の電子部品を実装した基板２３を収納するように構成されている。ボックス５０は、例えば、中空柱状に形成されている。ボックス５０は、例えば、合成樹脂により形成されている。
【００５１】
端子台１２は、器具本体１の上端部に配置されている。端子台１２は、上記一対の第２電源線を機械的および電気的に接続するように構成されている。また、端子台１２は、一対の第３電源線（図示せず）を機械的および電気的に接続するように構成されている。一対の第３電源線は、外部電源と電気的に接続されている。また、一対の第３電源線は、例えば、天井材９０の上面に予め配線されている。なお、器具本体１の上端部とは、器具本体１において器具本体１の中心軸Ａ１に沿った上側の端部を意味する。
【００５２】
ベース１３の下端部には、凹部２４が形成されている。凹部２４は、光源３を配置するように構成されている。凹部２４の上壁４９には、第１孔２５（図４参照）が形成されている。第１孔２５は、例えば、上記一対の第１電源線それぞれを通すように形成されている。
【００５３】
ベース１３には、第２孔２６が形成されている。第２孔２６は、非常用電源５をベース１３の下端部からベース１３の上端部へ通すように形成されている。すなわち、第２孔２６は、非常用電源５をベース１３から器具本体１内に収納するように形成されている。
【００５４】
また、ベース１３には、第３孔３８と、第４孔３９と、第５孔４０とが形成されている。第３孔３８は、第１点検スイッチ３５を操作するための第１操作部４１を、配置するように形成されている。第４孔３９は、第２点検スイッチ３６を操作するための第２操作部４２を、配置するように形成されている。第５孔４０は、表示部３７から放射された光を器具本体１の外部へ出射するように形成されている。
【００５５】
ベース１３の外周壁における下側の部位には、側方へ向かって突出する鍔部２７が全周に亘って設けられている。鍔部２７の外周形状は、例えば、円形状である。なお、鍔部２７の外周形状は、円形状であるが、この形状を特に限定するものではない。
【００５６】
また、ベース１３は、ケース１１に着脱可能に構成されている。具体的に説明すると、ベース１３の上端部には、上側へ向かって突出する引掛部２８が複数箇所（例えば、２箇所）に設けられている。以下では、説明の便宜上、引掛部２８を、「第１引掛部２８」と称する。
【００５７】
２つの第１引掛部２８，２８は、ベース１３の中心軸を基準として線対称となるように、ベース１３の上端部に配置されている。２つの第１引掛部２８，２８の各々には、自身をケース１１に引掛けるための引掛爪２９が設けられている。以下では、説明の便宜上、引掛爪２９を、「第１引掛爪２９」と称する。なお、図２では、２つの第１引掛爪２９，２９のうち１つの第１引掛爪２９が見えている。
【００５８】
ケース１１の周壁８における下側の部位には、２つの第６孔３０，３０（図２参照）が形成されている。なお、図１Ａでは、２つの第６孔３０，３０の図示を省略している。また、図２では、２つの第６孔３０，３０のうち１つの第６孔３０が見えている。
【００５９】
２つの第６孔３０，３０は、２つの第１引掛爪２９，２９をそれぞれ引掛けるように形成されている。これにより、非常用照明器具１０では、ベース１３をケース１１に取り付けることが可能となる。
【００６０】
また、非常用照明器具１０は、カバー１４と、複数（例えば、２つ）の固定部材７，７とを備えている。
【００６１】
カバー１４は、ベース１３の下端部を覆うように構成されている。カバー１４は、本体部３１と、複数（例えば、２つ）の第２引掛部３２，３２とを備えている。カバー１４は、例えば、合成樹脂により形成されている。なお、図１Ａでは、２つの第２引掛部３２，３２のうち１つの第２引掛部３２が見えている。
【００６２】
本体部３１は、例えば、円板状に形成されている。なお、本体部３１の外周形状は、円形状であるが、この形状を特に限定するものではない。
【００６３】
本体部３１には、第７孔３３が形成されている。第７孔３３は、光源３のレンズ１７の光出射面３４を露出させるように形成されている。
【００６４】
また、本体部３１には、第８孔４４と、第９孔４５とが形成されている。第８孔４４は、第１操作部４１の操作面と、第２操作部４２の操作面とが露出するように形成されている。第９孔４５は、表示部３７から第５孔４０を通って出射された光が通過するように形成されている。
【００６５】
２つの第２引掛部３２，３２の各々は、本体部３１の第１面（図４では、右上面）から上側（図４では、右上側）へ向かって突出するように、構成されている。２つの第２引掛部３２，３２の各々は、本体部３１と一体に構成されている。
【００６６】
２つの第２引掛部３２，３２の各々には、自身をベース１３に引掛けるための第２引掛爪４６が設けられている。
【００６７】
ベース１３の第２孔２６の内周壁４７には、２つの第１突出部４８，４８（図４参照）が形成されている。なお、図４では、２つの第１突出部４８，４８のうち１つの第１突出部４８が見えている。また、図１Ａでは、２つの第１突出部４８，４８の図示を省略している。
【００６８】
２つの第１突出部４８，４８は、２つの第２引掛爪４６，４６をそれぞれ引掛けるように形成されている。これにより、非常用照明器具１０では、カバー１４をベース１３に取り付けることが可能となる。
【００６９】
２つの固定部材７，７の各々は、ケース１１の周壁８に取り付けられるように構成されている。また、２つの固定部材７，７の各々は、器具本体１を天井材９０に固定するように構成されている。具体的に説明すると、２つの固定部材７，７の各々は、ベース１３の鍔部２７とで天井材９０を挟持するように構成されている。
【００７０】
また、２つの固定部材７，７の各々は、ばね性を有するように構成されている。２つの固定部材７，７の各々は、例えば、第２板材により形成されている。第２板材は、例えば、不燃材料により構成されている。不燃材料としては、例えば、アルミニウムが挙げられる。
【００７１】
ケース１１の周壁８は、固定部材７が取り付けられる部位に、平坦部９（図１Ａおよび図２参照）が設けられている。すなわち、ケース１１の周壁８には、２つの平坦部９，９が設けられている。なお、図１Ａでは、２つの平坦部９，９のうち１つの平坦部９が見えている。また、図２でも、２つの平坦部９，９のうち１つの平坦部９が見えている。
【００７２】
２つの平坦部９，９は、器具本体１の中心軸Ａ１を基準として線対称となるように、ケース１１の周壁８に設けられている。
【００７３】
非常用照明器具１０では、２つの固定部材７，７と２つの平坦部９，９とを、例えば、溶接により固着することで、２つの固定部材７，７が、２つの平坦部９，９にそれぞれ取り付けられている。
【００７４】
非常用照明器具１０は、ケース１１の周壁８において固定部材７が取り付けられる部位に、平坦部９が設けられている。これにより、非常用照明器具１０では、ケース１１の周壁８に平坦部９を設けない場合に比べて、器具本体１の開口面積を小さくすることが可能となる。よって、非常用照明器具１０では、ケース１１の周壁８に平坦部９を設けない場合に比べて、小型化を図ることが可能となる。
【００７５】
ところで、非常用電源５の本体部２１は、電源装置６と対向する対向面６１を備えている。また、本体部２１は、対向面６１以外の部位に、一対の第１取付部材６２，６２（図１Ａおよび図５参照）が設けられている。
【００７６】
一対の第１取付部材６２，６２は、非常用電源５を器具本体１に着脱可能に構成されている。一対の第１取付部材６２，６２の各々は、Ｌ字状に形成された連結片６２ａと、摘み片６２ｂとを備えている。一対の第１取付部材６２，６２の各々は、例えば、合成樹脂により形成されている。また、一対の第１取付部材６２，６２の各々は、本体部２１と一体に形成されている。
【００７７】
一対の第１取付部材６２，６２は、本体部２１の中心軸Ｂ１（図５参照）を基準として線対称となるように、本体部２１の下端部に配置されている。具体的に説明すると、一対の連結片６２ａ，６２ａは、本体部２１の下端部を囲むように配置されている。各連結片６２ａの第１端部は、本体部２１にそれぞれ連結されている。各連結片６２ａの第２端部には、摘み片６２ｂがそれぞれ設けられている。
【００７８】
各連結片６２ａには、対応する第１取付部材６２をベース１３に引掛けるための突部６２ｃがそれぞれ設けられている。
【００７９】
ベース１３の第２孔２６の内周壁４７には、一対の第２突出部４３，４３（図４参照）が形成されている。なお、図４では、一対の第２突出部４３，４３のうち１つの第２突出部４３が見えている。また、図１では、一対の第２突出部４３，４３の図示を省略している。
【００８０】
一対の第２突出部４３，４３は、一対の突部６２ｃ，６２ｃをそれぞれ引掛けるように形成されている。これにより、非常用照明器具１０では、非常用電源５を器具本体１に取り付けることが可能となる。
【００８１】
一対の第１取付部材６２，６２は、一対の摘み片６２ｂ，６２ｂが互いに近づく向きに変位するとき、一対の突部６２ｃ，６２ｃが互いに近づく向きに変位するように構成されている。これにより、非常用照明器具１０では、一対の突部６２ｃ，６２ｃが一対の第２突出部４３，４３それぞれに引掛けられた状態を解除することが可能となる。よって、非常用照明器具１０では、非常用電源５を器具本体１から取り外すことが可能となる。
【００８２】
また、本体部２１は、対向面６１以外の部位に、一対の第２取付部材６３，６３が設けられている。一対の第２取付部材６３，６３は、本体部２１の中心軸Ｂ１を基準として線対称となるように、本体部２１の中央部に配置されている。具体的に説明すると、一対の第２取付部材６３，６３は、一対の第１取付部材６２，６２よりも上側に配置されている。また、一対の第２取付部材６３，６３は、本体部２１の中心軸Ｂ１に沿った方向に、一対の第１取付部材６２，６２と並んで配置されている。
【００８３】
一対の第２取付部材６３，６３の各々は、細長い板状に構成されている。一対の第２取付部材６３，６３の各々は、例えば、合成樹脂により形成されている。また、一対の第２取付部材６３，６３の各々は、本体部２１と一体に形成されている。
【００８４】
各第２取付部材６３の第１端部は、本体部２１にそれぞれ連結されている。各第２取付部材６３には、ベース１３の第２突出部４３に引掛けることが可能な突部６３ａ（図５参照）がそれぞれ設けられている。各突部６３ａは、対応する第２取付部材６３の第２端部にそれぞれ設けられている。これにより、非常用照明器具１０では、非常用電源５を器具本体１から取り外す際に、非常用電源５が落下するのを抑制することが可能となる。
【００８５】
電源装置６のボックス５０は、器具本体１内において、非常用電源５と対向する対向面６４（図６参照）の法線が器具本体１の中心軸Ａ１と直交するように配置されている。
【００８６】
ボックス５０の対向面６４には、端子台１２を支持する支持部材５７と、第２接続部６５と、一対の第１ガイド部６６，６６とが設けられている。
【００８７】
第２接続部６５は、第１接続部２２を着脱自在に接続するように構成されている。具体的に説明すると、第２接続部６５には、第１接続部２２を挿抜可能な開口部（図示せず）が設けられている。すなわち、第２接続部６５は、非常用電源５と電源装置６とを機械的に接続するように構成されている。第２接続部６５は、例えば、合成樹脂により形成されている。また、第２接続部６５は、ボックス５０と一体に形成されている。
【００８８】
第２接続部６５は、一対の第２接続片６８，６８を備えている。一対の第２接続片６８，６８の各々は、例えば、金属により形成されている。一対の第２接続片６８，６８の各々は、非常用電源５と基板２３とを電気的に接続するように構成されている。要するに、第２接続部６５は、非常用電源５と電源装置６とを電気的に接続するようにも構成されている。
【００８９】
一対の第２接続片６８，６８は、例えば、一対の第４電源線（図示せず）を介して、基板２３と電気的に接続されている。また、一対の第２接続片６８，６８は、一対の第４電源線を介して、充電回路および放電回路の両方と電気的に接続されている。
【００９０】
一対の第１接続片６０，６０は、一対の第２接続片６８，６８を着脱可能に構成されている。なお、非常用照明器具１０では、一対の第１接続片６０，６０が、一対の第２接続片６８，６８を着脱可能に構成されているが、これに限らない。一対の第２接続片６８，６８は、一対の第１接続片６０，６０を着脱可能に構成されていてもよい。
【００９１】
一対の第１ガイド部６６，６６の各々は、第１接続部２２と第２接続部６５との接続を案内するように構成されている。また、一対の第１ガイド部６６，６６の各々は、器具本体１の中心軸Ａ１に沿ったリブにより構成されている。
【００９２】
一対の第１ガイド部６６，６６の各々の長さ寸法は、非常用電源５の本体部２１が器具本体１内に配置されたときに、非常用電源５の第１接続部２２と電源装置６の第２接続部６５とが機械的および電気的に接続するように設定されている。具体的に説明すると、一対の第１ガイド部６６，６６の各々の長さ寸法は、本体部２１における一対の第１取付部材６２，６２それぞれの突部６２ｃがベース１３の一対の第２突出部４３，４３に引っ掛かるときに、第１接続部２２と第２接続部６５とが機械的および電気的に接続するように設定されている。これにより、非常用照明器具１０では、非常用電源５の本体部２１を器具本体１内に配置させるだけで、第１接続部２２と第２接続部６５とを機械的および電気的に接続させることが可能となる。よって、非常用照明器具１０では、第１接続部２２と第２接続部６５との接続を容易に行うことが可能となる。なお、長さ寸法とは、器具本体１の中心軸Ａ１に沿った方向の寸法を意味する。
【００９３】
また、一対の第１ガイド部６６，６６は、第１接続部２２と第２接続部６５とが機械的および電気的に接続するときに、本体部２１を挟み込むように構成されている。言い換えれば、一対の第１ガイド部６６，６６は、本体部２１を器具本体１の中心軸Ａ１に沿ってスライド可能に構成されている（図７および図８参照）。これにより、非常用照明器具１０では、本体部２１を一対の第１ガイド部６６，６６に沿って移動させることで、第１接続部２２と第２接続部６５との接続を容易に行うことが可能となる。よって、非常用照明器具１０では、非常用電源５を交換する作業性を向上させることが可能となる。なお、図７および図８中の一点鎖線は、器具本体１の中心軸Ａ１を表している。
【００９４】
また、非常用照明器具１０では、本体部２１の下端部が、器具本体１において器具本体１の中心軸Ａ１に沿った下側の端部に、光源３と隣同士並んで配置されている。これにより、非常用照明器具１０では、従来例の非常用照明器具に比べて、非常用電源５を交換する作業性を向上させることが可能となる。
【００９５】
また、ボックス５０の対向面６４には、一対の突起部６９，６９が設けられている。一対の突起部６９，６９の各々は、非常用電源５と電源装置６とが機械的および電気的に接続された状態において、本体部２１との間を規定距離に保つように構成されている。これにより、非常用照明器具１０では、電源装置６で発生する熱が非常用電源５に伝導するのを抑制することが可能となる。よって、非常用照明器具１０では、非常用電源５の劣化を抑制することが可能となる。
【００９６】
第２接続部６５は、第２ガイド部７０を備えている。第２ガイド部７０は、第１接続部２２と第２接続部６５との機械的な接続を案内するように構成されている。第２ガイド部７０は、例えば、合成樹脂により形成されている。また、第２ガイド部７０は、第２接続部６５と一体に形成されている。これにより、非常用照明器具１０では、第１接続部２２と第２接続部６５との機械的な接続を、確実に行うことが可能となる。よって、非常用照明器具１０では、従来例の非常用照明器具に比べて、非常用電源５を交換する作業性を、より向上させることが可能となる。
【００９７】
以下では、例えば、作業者が非常用照明器具１０における非常用電源５を交換する作業の手順について、簡単に説明する。なお、以下では、カバー１４がベース１３から取り外されているものとして説明する。
【００９８】
作業者は、非常用電源５における一対の摘み片６２ｂ，６２ｂを互いに近づく向きに変位させる。これにより、非常用照明器具１０では、一対の突部６２ｃ，６２ｃが一対の第２突出部４３，４３それぞれに引掛けられた状態を解除することができるので、非常用電源５を器具本体１の下側へ移動させることが可能となる。
【００９９】
また、非常用照明器具１０では、作業者が非常用電源５を器具本体１の下側へ移動させたときに、一対の第２取付部材６３，６３における一対の突部６３ａ，６３ａが一対の第２突出部４３，４３それぞれに引っ掛かる。そのため、作業者は、一対の第２取付部材６３，６３を互いに近づく向きに変位させる。これにより、非常用照明器具１０では、一対の突部６３ａ，６３ａが一対の第２突出部４３，４３それぞれに引掛けられた状態を解除することができるので、非常用電源５を器具本体１から取り外すことが可能となる。
【０１００】
そして、作業者は、新しい非常用電源（以下、「非常用電源」）を、ベース１３の第２孔２６に挿入し、この非常用電源の本体部を一対の第１ガイド部６６，６６間に配置する。さらに、作業者は、非常用電源における一対の第１取付部材それぞれの突部が一対の第２突出部４３，４３に引っ掛かるまで、非常用電源の本体部を一対の第１ガイド部６６，６６に沿って器具本体１の上側へ移動させる。これにより、非常用照明器具１０では、非常用電源の第１接続部と電源装置６の第２接続部６５との機械的および電気的な接続を行うことが可能となり、非常用電源５を交換することが可能となる。また、非常用照明器具１０では、第２接続部６５に第２ガイド部７０が設けられているので、非常用電源の第１接続部と電源装置６の第２接続部６５との機械的な接続を、確実に行うことが可能となる。
【０１０１】
なお、非常用照明器具１０は、非常時に光源３を点灯させる、いわゆる、専用形の非常用照明器具であるが、これに限らない。非常用照明器具１０は、例えば、通常時および非常時に光源３を点灯させる、いわゆる、併用形の非常用照明器具であってもよい。なお、通常時とは、非常時以外のときを意味する。
【０１０２】
また、複数の蓄電池４の電気的な接続関係は、直列接続であるが、この接続に限らない。複数の蓄電池４の電気的な接続関係は、例えば、並列接続であってもよい。また、複数の蓄電池４の電気的な接続関係は、例えば、直列接続と並列接続とを組み合わせた接続であってもよい。蓄電池４の数は、複数であるが、１つであってもよい。
【０１０３】
以上説明した非常用照明器具１０は、天井材９０に設置される非常用照明器具である。非常用照明器具１０は、有底筒状に形成された器具本体１と、光源３と、蓄電池４が収納された本体部２１を具備する非常用電源５と、蓄電池４を充電および放電可能な電源装置６とを備えている。電源装置６は、外部電源の停電時に、非常用電源５を電源として光源３を点灯可能に構成されている。本体部２１は、中空柱状に形成されている。光源３と本体部２１の下端部とは、器具本体１において器具本体１の中心軸Ａ１に沿った下側の端部に隣同士並んで配置されている。本体部２１の上端部は、器具本体１内に配置されている。電源装置６は、器具本体１内において光源３の上側に配置されている。本体部２１の上端部には、非常用電源５と電源装置６とを接続するための第１接続部２２が設けられている。電源装置６は、複数の電子部品を実装した基板２３が収納されたボックス５０を備えている。ボックス５０は、非常用電源５と対向する対向面６４に、第１接続部２２を着脱自在に接続可能な第２接続部６５と、第１接続部２２と第２接続部６５との接続を案内するガイド部６６とが設けられている。これにより、非常用照明器具１０では、従来例の非常用照明器具に比べて、非常用電源５を交換する作業性を向上させることが可能となる。
【０１０４】
電源装置６は、器具本体１内において対向面６４の法線が器具本体１の中心軸Ａ１と直交するように配置されていることが好ましい。ガイド部６６は、器具本体１の中心軸Ａ１に沿ったリブにより構成されていることが好ましい。この場合も、非常用照明器具１０では、従来例の非常用照明器具に比べて、非常用電源５を交換する作業性を向上させることが可能となる。
【０１０５】
対向面６４には、非常用電源５と電源装置６とが接続された状態において、本体部２１との間を規定距離に保つための突起部６９が設けられていることが好ましい。これにより、非常用照明器具１０では、電源装置６で発生する熱が非常用電源５に伝導するのを抑制することが可能となる。よって、非常用照明器具１０では、非常用電源５の劣化を抑制することが可能となる。
【０１０６】
第２接続部６５は、ガイド部６６である第１ガイド部とは異なる第２ガイド部７０を備えていることが好ましい。第２ガイド部７０は、第１接続部２２と第２接続部６５との接続を案内するように構成されていることが好ましい。これにより、非常用照明器具１０では、第１接続部２２と第２接続部６５との接続を、確実に行うことが可能となる。よって、非常用照明器具１０では、従来例の非常用照明器具に比べて、非常用電源５を交換する作業性を、より向上させることが可能となる。
【符号の説明】
【０１０７】
１  器具本体
３  光源
４  蓄電池
５  非常用電源
６  電源装置
１０  非常用照明器具
２１  本体部
２２  第１接続部
２３  基板
５０  ボックス
６４  対向面
６５  第２接続部
６６  ガイド部（第１ガイド部）
６９  突起部
７０  第２ガイド部
【図１】
0006292519.tif 000002
【図２】
0006292519.tif 000003
【図３】
0006292519.tif 000004
【図４】
0006292519.tif 000005
【図５】
0006292519.tif 000006
【図６】
0006292519.tif 000007
【図７】
0006292519.tif 000008
【図８】
0006292519.tif 000009